(57)【要約】【課題】ハンズフリーを形成する車載用音響装置において、音楽ジャンルごとに設定された周波数特性によって音楽が再生されているときに携帯電話に着信があっても、人の声が聞き取り易い状況で通話することを可能とする車載用音響装置を提供する。【解決手段】車載用音響装置１０は、音楽ジャンル毎に最適の周波数特性を記憶した記憶部１１１と、音楽ジャンルを選択するための操作部１９と、記憶部１１１から周波数特性を読み出して設定する制御部１１とを備え、無線送受信部１５によって携帯電話２０と無線により接続されてハンズフリーシステムを形成している。制御部１１は着信検出部１１２が携帯電話２０に対する着信を検出すると、記憶部１１１に記憶されている通話用の周波数特性を読み出してイコライザ１７に設定し、通話が終了すると着信時の音楽ジャンルに基づいて周波数特性を記憶部１１１から読み出してイコライザ１７に設定する。【選択図】図１
2008207768.tif 000002
【特許請求の範囲】
【請求項１】
音楽ジャンル毎に最適の周波数特性を記憶した記憶部と、音楽ジャンルを選択するための操作部と、前記記憶部から周波数特性を読み出して設定する制御部とを備え、
携帯電話と無線により接続されてハンズフリーシステムを形成する車載用音響装置において、
前記制御部は前記携帯電話に対する着信を検出すると、現在、前記音楽ジャンルに応じて設定されている周波数特性を無効とすることを特徴とする車載用音響装置。
【請求項２】
前記記憶部は更に、通話用の周波数特性を記憶しており、前記制御部は前記携帯電話に対する着信を検出すると、現在、前記音楽ジャンルに応じて設定されている周波数特性を無効とするとともに、前記記憶部から前記通話用の周波数特性を読み出して設定することを特徴とする請求項１に記載の車載用音響装置。
【請求項３】
前記制御部は、現在、前記音楽ジャンルに応じて設定されている周波数特性を無効とするとともに、前記通話用に設定されている周波数特性を前記記憶部から読み出して設定し、携帯電話の通話が終了したことを検出すると、前記無効とした周波数特性を前記記憶部から読み出して設定することを特徴とする請求項２に記載の車載用音響装置。
【請求項４】
音楽ジャンル毎に最適の周波数特性を記憶した記憶部と、音楽ジャンルを選択するための操作部と、前記記憶部から周波数特性を読み出して設定する制御部とを備え、
携帯電話と無線により接続されてハンズフリーシステムを形成する車載用音響装置の制御方法であって、
前記制御部は前記携帯電話に対する着信を検出すると、現在、前記音楽ジャンルに応じて設定されている周波数特性を無効とするとともに、通話用に設定されている周波数特性を前記記憶部に記憶するステップと、
携帯電話の通話が終了したことを検出すると、前記無効とした周波数特性を前記記憶部から読み出して設定するステップと、からなることを特徴とする車載用音響装置の制御方法。
【発明の詳細な説明】
【技術分野】
【０００１】
本発明は車に搭載されて使用される車載用音響装置の発明にかかり、とくにオーディオ信号の周波数帯域を複数の周波数帯域に分割し各周波数帯域毎にその周波数特性を任意に変更してスピーカに出力することができる車載用音響装置において、携帯電話を音響装置と無線によって接続して携帯電話のハンズフリー機能を実現しつつ、音楽の鑑賞と携帯電話の通話のスムーズな機能調整を図った車載用音響装置にかかるものである。
【背景技術】
【０００２】
従来より音響装置の技術分野においては、オーディオ信号の周波数帯域を複数の周波数帯域に分割して各周波数帯域ごとに周波数特性を任意に変更することができる音響装置が知られている。
【０００３】
一般にこのような音響装置はジャズやロック、クラシックなど音楽のジャンルごとに周波数帯域の周波数特性を記憶しており、ユーザの指定によってジャンルが設定されると周波数特性が読み出されて、補正された音声信号がデジタル／アナログ変換回路によってアナログ信号に変換され、アンプにて増幅された後スピーカに出力されて音楽が再生されるというものである。
【０００４】
例えば、ユーザがロック音楽を再生しようとするときは複数のジャンルの中からジャンル「ロック」を選択する。ジャンル「ロック」に設定されると特に低高音域が強く聞こえるように周波数特性が変更される。一方ジャンル「ジャズ」が設定されると中音域が強く、低高音域は弱く聞こえるように周波数特性が変更される。このように各音楽のジャンルごとに周波数特性を変更することで音楽の特徴が十分に引き出されるという優れた効果を奏するものである。
【０００５】
例えば、下記特許文献１（特開平３−２４０３０７号公報）には「音響装置」の発明が開示されている。この音響装置の発明は上記のような周波数特性の変更が可能な音響装置の発明に関するものであり、さらに周波数特性を任意に可変するための入力手段を備えることによって車内など音響特性の条件のきびしい空間において使用する場合でも希望する音楽ソースの音質特性を得ることができるものである。
【０００６】
一方、近年は運転中の携帯電話使用の取り締まりが強化されるに伴い車載用音響装置を用いて携帯電話をハンズフリーで使用できるようにした、いわゆるハンズフリーシステムが提案されている。このような発明の例が下記特許文献２（特開２００６−２５４２８５号公報）に「車載装置及び車載装置の制御方法」として開示されている。
【０００７】
すなわちかかる車載装置は、ユーザからの通話の指示によりソースから出力される音声によりスピーカの駆動に代えて、携帯電話で取得される音声データにより前記スピーカを駆動すると共に、マイクで取得される音声データを前記携帯電話に出力することでハンズフリーシステムを形成している。
【０００８】
ハンズフリーシステムを利用することで、ユーザは運転時にもハンドルから手を離すことなく相手方と通話することが可能となり、運転を安全に行なうことができる。また携帯電話に比べて高出力のスピーカから相手方の音声を出力するため、相手方の声を聞き取り易くなるという優れた効果を奏するものである。
【特許文献１】特開平３−２４０３０７号公報
【特許文献２】特開２００６−２５４２８５号公報
【発明の開示】
【発明が解決しようとする課題】
【０００９】
しかしながら上記技術を組み合わせることでハンズフリー機能を実現しようとすると以下のような問題が生じる。すなわちユーザが音楽ジャンルを指定して低高音域を強調するよう周波数特性を変更して音楽を再生しているときに携帯電話に着信があったとする。通話をハンズフリーで行なおうとすると、相手方の音声信号も他のオーディオソースと同じくイコライザにおいて周波数特性が変更されてスピーカから出力されるから、低高音域ばかりが強調されて人の声が聞こえるはずの中音域が弱く聞こえてしまい、相手方の声が聞き取りにくくなってしまうという問題があった。
【００１０】
そこで本願の発明者は上記の問題点を解消すべく種々検討を重ねた結果、音楽ジャンルを設定して周波数特性を変更していても、着信を検出するとそれまで設定されていた周波数特性を無効化することで上記課題を解決しうることに想到して本発明を完成するに至ったものである。
【００１１】
すなわち本発明は、上記の問題点を解消することを課題とし、携帯電話を無線接続してハンズフリーシステムを形成する車載用音響装置において、音楽ジャンルごとに設定された周波数特性によって音楽が再生されているときに携帯電話に着信があっても、人の声が聞き取り易い状況で通話できるようにした車載用音響装置を提供することを目的とすることである。
【課題を解決するための手段】
【００１２】
前記課題を解決するために、本願の請求項１にかかる発明は、
音楽ジャンル毎に最適の周波数特性を記憶した記憶部と、音楽ジャンルを選択するための操作部と、前記記憶部から周波数特性を読み出して設定する制御部とを備え、
携帯電話と無線により接続されてハンズフリーシステムを形成する車載用音響装置において、
前記制御部は前記携帯電話に対する着信を検出すると、現在、前記音楽ジャンルに応じて設定されている周波数特性を無効とすることを特徴とする。
【００１３】
また、本願の請求項２にかかる発明は、請求項１にかかる車載用音響装置において、前記記憶部は更に、通話用の周波数特性を記憶しており、前記制御部は前記携帯電話に対する着信を検出すると、現在、前記音楽ジャンルに応じて設定されている周波数特性を無効とするとともに、前記記憶部から前記通話用の周波数特性を読み出して設定することを特徴とする。
【００１４】
また、本願の請求項３にかかる発明は、請求項２にかかる車載用音響装置において、前記制御部は、現在、前記音楽ジャンルに応じて設定されている周波数特性を無効とするとともに、前記通話用に設定されている周波数特性を前記記憶部から読み出して設定し、携帯電話の通話が終了したことを検出すると、前記無効とした周波数特性を前記記憶部から読み出して設定することを特徴とする。
【００１５】
また、請求項４にかかる発明は、
音楽ジャンル毎に最適の周波数特性を記憶した記憶部と、音楽ジャンルを選択するための操作部と、前記記憶部から周波数特性を読み出して設定する制御部とを備え、
携帯電話と無線により接続されてハンズフリーシステムを形成する車載用音響装置の制御方法であって、
前記制御部は前記携帯電話に対する着信を検出すると、現在、前記音楽ジャンルに応じて設定されている周波数特性を無効とするとともに、通話用に設定されている周波数特性を前記記憶部に記憶するステップと、
携帯電話の通話が終了したことを検出すると、前記無効とした周波数特性を前記記憶部から読み出して設定するステップと、からなることを特徴とする。
【発明の効果】
【００１６】
本発明は上記の構成を備えることにより、以下に示すような優れた効果を奏するものである。すなわち本願の請求項１にかかる発明によれば、車載用音響装置は携帯電話に対する着信を検出すると、現在、前記音楽ジャンルに応じて設定されている周波数特性を無効とするから、たとえ着信前に低音が強調されるような周波数特性が設定されていたとしても通話時にはフラットな出力状態となり、相手方からの通話音声を聞き取り易い状態で通話することができるようになる。
【００１７】
更に、本願の請求項２にかかる発明によれば、請求項１にかかる車載用音響装置において、記憶部は通話用の周波数特性を記憶しており、携帯電話に対する着信を検出すると、現在、前記音楽ジャンルに応じて設定されている周波数特性を無効とするとともに、前記通話用の周波数特性を設定するため、より聞き取り易い状態で相手方と通話することができるようになる。
【００１８】
更に、本願の請求項３にかかる発明よれば、請求項２にかかる車載用音響装置において、車載用音響装置は着信があると、現在、前記音楽ジャンルに応じて設定されている周波数特性を無効とするとともに、前記通話用に設定されている周波数特性を前記記憶部から読み出して設定し、携帯電話の通話が終了したことを検出すると、前記無効とした周波数特性を前記記憶部から読み出して設定する。したがってユーザは通話が終了したのちに、音楽ジャンルを再度設定し直す必要がなくなり利便性が向上する。
【発明を実施するための最良の形態】
【００１９】
以下図面を参照して本発明における車載用音響装置の発明を詳細に説明する。ただし以下に示す例は最良の実施形態を示すものであって、本発明の技術的思想をこの車載用音響装置の発明に限定することを意図するものでなく、その他種々の変更を伴い得るものである。
【００２０】
図１は本発明の車載用音響装置の構成を示すブロック図である。車載用音響装置１０は制御部１１を備えており、制御部１１はオーディオソースを出力するチューナ部１２、ディスク再生部１４、無線送受信部１５に接続されている。
【００２１】
制御部１１はＲＡＭ、ＲＯＭ、プロセッサを有するマイクロプロセッサを搭載し、ＣＰＵ（中央処理制御部）がＲＯＭに記憶されたプログラムに基づいて各部の動作を制御する。制御部１１はさらに記憶部１１１及び着信検出部１１２を備えている。
【００２２】
記憶部１１１には音楽ジャンル毎に最適な周波数特性が記憶されており、音楽ジャンルが選択されると記憶部１１１から対応する周波数特性が読み出され、イコライザ１７に周波数特性が設定される。着信検出部１１２は車載用音響装置１０側において携帯電話２０に着信があったか否かを検出するためのものであり、着信検出部１１２が着信を検出すると制御部１１は所定のプログラムを実行する。
【００２３】
すなわち着信を検出するとユーザが着信音に気付き易くするようオーディオ出力を停止、または音量を一定値まで下げる。同時に記憶部１１１からは通話用に予め設定された周波数特性が読み出され、制御部１１がこの周波数特性をイコライザ１７に設定する。
【００２４】
イコライザ１７に通話用の周波数特性を設定すると同時に、制御部１１は着信時の周波数特性を記憶部１１１に一時的に記憶し、着信検出部１１２が通話の終了を検出すると、制御部１１は記憶部１１１に記憶された着信時の周波数特性を読み出し、イコライザ１７に再設定する。この点については後段にて詳述する。
【００２５】
チューナ部１２はＡＭ／ＦＭラジオ放送の放送電波をアンテナ１２１により受信して復調し、音声信号を制御部１１に出力する。ディスク再生部１３４にはＣＤ、ＭＤなどの外部ディスクメディアが装填されて読み出され、音声信号を制御部１１に出力する。無線送受信部１５は携帯電話２０と車載用音響装置１０とを接続するためインターフェースであり、音声信号を無線による通信によって送受信することでハンズフリーシステムを形成するためのものである。ハンズフリーシステムの構成については後述する。
【００２６】
更に車載用音響装置１０は、表示部１３、マイク１６、イコライザ１７、アンプ１８、スピーカ１８１及び操作部１９を備えている。表示部１３は液晶パネルなどからなり、操作情報などをユーザに対して表示する。表示部１３はタッチパネルを搭載することで操作部１９の一部としても機能する。
【００２７】
なお後述するが、音楽再生を開始すると表示画面には音楽ジャンルを設定するアイコンや、現在設定されている周波数特性を示すインジケータなどが表示され、ユーザは任意に音楽ジャンルの選択及び周波数特性の微調整などを表示画面上で行なうことができる。
【００２８】
マイク１６はハンズフリー機能を起動したときにユーザの通話対象に対する音声を傍受するためのものである。イコライザ１７はオーディオソースから出力された音声信号の周波数特性を補正する。アンプ１８はイコライザ１７にて補正された音声信号を増幅し、スピーカ１８１がこれを出力する構成になっている。操作部１９は筐体に設けられた操作キーなどからなり、再生するオーディオソースの選択や音量の調整などを行なうためのものである。
【００２９】
車載用音響装置１０は携帯電話２０と無線によって接続され、全体としてハンズフリーシステムを形成している。以下ハンズフリーシステムの概要について説明する。一般的な携帯電話の動作においては、携帯電話２０は携帯電話部２２によりユーザの操作に応動して一連の通話に係る処理を実行する。すなわち携帯電話部２２はユーザの操作に応動して通話対象との間で回線を確立し、ユーザによる音声を図示しないマイクにより取得して通話対象に送出するとともに通話対象より得られる音声を図示しないスピーカによりユーザに提供する。
【００３０】
これに対してユーザによりハンズフリーシステムによる動作が指示されると、携帯電話部２２はこの携帯電話２０の操作子による操作に代えて、無線送受信部２１で受信される車載用音響装置１０からの制御コマンドに応動して回線を接続し、またこの無線送受信部２１を介して車載用音響装置に着信等を通知して回線を接続する。
【００３１】
また、更に回線が接続されると、携帯電話２０が備えるマイクに代えて車載用音響装置１０が備えるマイク１６により取得されるユーザの音声を無線送受信部２１によって受信して通話対象に送出し、通話対象から得られる音声も携帯電話２０が備えるスピーカから出力するのでなく無線送受信部２１によって車載用音響装置１０に送信し、制御部１１、イコライザ１７、アンプ１８を介してスピーカ１８１から出力される。
【００３２】
ハンズフリーを利用することで、ユーザは車を運転しながら相手方と通話することができる。さらに本発明によれば、音楽ジャンルを設定して音楽を再生しているときに着信があった場合でも人の声が聞こえにくい状態で相手方の音声が出力されることがなく、ハンズフリーによる通話の利便性がさらに向上する。
【００３３】
図２は周波数特性の設定画面を示す図である。図２（ａ）はフラットモード、図２（ｂ）はクラシックモード、図２（ｃ）はロックモード、図２（ｄ）はジャズモード、図２（ｅ）は会話モードの設定画面をそれぞれ示している。
【００３４】
図２（ａ）を参照して、まず設定画面の構成について説明する。画面の右端には現在設定されている音楽のジャンルを示すモードアイコンが配置されている。図２（ａ）における周波数特性はフラットモードであり、「フラット」のアイコンが反転表示されている。ユーザはこのアイコンの中から聴きたいオーディオソースのジャンルに合わせて所望のモードを選択することが可能である。例えばユーザがクラシック音楽を聴くのであればクラシックのアイコンを選択する。すると画面は図２（ｂ）に表示するような画面に切り替わる。ロック、ジャズ等も同様の操作によって選択することができる。
【００３５】
画面の左中央には、現在イコライザ１７に設定されている周波数特性を示すゲージが各周波数帯域毎に表示されている。周波数帯域は左から６０Ｈｚ、１５０Ｈｚ・・・６ＫＨｚ、１５ＫＨｚというように左から右に向かって周波数が高くなるように並んでいる。各ゲージにはそれぞれ各周波数帯域の出力を示すインジケータが表示されている。例えばフラットモードを示す図２（ａ）においては、全てのゲージにおいてインジケータは中央に表示されており、全ての周波数帯域において平坦な一定出力となっているのがわかる。
【００３６】
一方ロックモードを示す図２（ｃ）においては、中音域を示す１ＫＨｚの周波数帯域においてはインジケータは中央（±０ｄＢ）に位置し一定出力となっているが、低音域及び高音域の周波数帯域においては出力が増大されているのがわかる。すなわち中音域の出力はそのままに、低高音域の出力が増大されて重低音及び超高音が強調された状態で音楽が再生されることとなる。同様に、ジャズモードを示す図２（ｄ）においては中音域付近の周波数帯域の出力が増大されているのがわかる。この場合低高音域の出力はそのままに、中音域が強調された状態で音楽が再生されることとなる。
【００３７】
一方ロックモードを示す図２（ｃ）においては、中音域を示す１ＫＨｚの周波数帯域においてはインジケータは中央（±０ｄＢ）に位置し一定出力となっているが、低音域及び高音域の周波数帯域においては出力が増大されているのがわかる。すなわち中音域の出力はそのままに、低高音域の出力が増大されて重低音及び超高音が強調された状態で音楽が再生されることとなる。同様に、ジャズモードを示す図２（ｄ）においては中音域付近の周波数帯域の出力が増大されているのがわかる。この場合低高音域の出力はそのままに、中音域が強調された状態で音楽が再生されることとなる。
【００３８】
以上のような音楽ジャンルごとの周波数特性データは記憶部１１１に、音楽ジャンルごとに対応付けられて記憶されており、ユーザの選択操作にしたがって読み出されてイコライザ１７に設定される。
【００３９】
更に画面下端には周波数特性を調整するための操作アイコンが配置されている。ユーザはこのアイコンを操作することによって、音楽ジャンルごとに設定された周波数特性を調整することができる。例えばユーザがロック音楽を再生しようとするときは、画面右端に配置されたモードアイコンの中から「ロック」を選択する。
【００４０】
「ロック」が選択されると画面には図２（ｃ）に表示したような画面が表示される。しかしユーザが特に重低音をさらに強調した状態で聴きたいと思う場合もあり得る。この場合、ユーザはまず「変更」アイコンを押下する。「変更」アイコンを押下すると画面に表示されたインジケータの位置を調整することができるようになり、重低音を強調するため６０Ｈｚの周波数帯域を示すゲージのインジケータをさらに上方に移動させる。
【００４１】
すると６０Ｈｚの周波数帯域の出力がさらに＋３ｄＢ増大され、重低音がさらに強調されてスピーカから出力される。ユーザがロック音楽を再生するときは常にこの状態で聴きたいという場合には、「保存」アイコンを押下することでロックモードの周波数特性が調整された状態で記憶部１１１に記憶され、次に読み出されたときも調整後の状態の周波数特性がイコライザ１７に設定される。
【００４２】
そして本発明の特徴として、車載用音響装置１０は記憶部１１１に通話のための周波数特性を記憶している。図２（ｅ）に示しているのが会話モードの周波数特性である。図からもあきらかなように会話モードにおいては低高音域の出力が大幅に減少させられており、一方で中音域の出力がフラットに比べ増大されている。
【００４３】
これは人の声は中音域において聞こえるものであるため中音域の出力を増大させることで運転時などの外部騒音が激しい環境でも相手方の声を聞き取り易くするためである。さらには低高音域の出力を減少させることで相手方の声が際立つとともに、相手方からの騒音などがノイズとして入りにくくなる。さらに他の音楽ジャンルが設定されている場合には周波数特性の他に残響効果特性などの音質効果が設定されている場合があるが、会話モードにおいてはこのような音質効果は無効とされる。
【００４４】
この会話モードの周波数特性は、着信検出部１１２が携帯電話２０に着信があったことを検出すると記憶部１１１から読み出されてイコライザ１７に設定される。また通話が終了すると着信時に設定されていたモードに切り替えられ、イコライザ１７も着信時の周波数特性が再度設定される。
【００４５】
以下、本発明の車載用音響装置の動作を図３に示すフローチャートに基づいて説明する。図３は車載用音響装置の動作を説明するためのフローチャートである。ステップＳ１において音楽を再生する操作がなされると処理が開始される。このときユーザは操作部１９を介して再生したい所望のオーディオソースを選択する。オーディオソースが選択されると制御部１１はイコライザ１７に出力する信号のオーディオソースを選択されたオーディオソースに切り替える。
【００４６】
例えばユーザがＣＤを聴く場合にはＣＤをディスク再生部１４に装填するとともに再生ユニットをＣＤに選択する。オーディオソースとしてＣＤが選択されると、制御部１１はディスク再生部１４に対して再生指示を行ない、読み出された音声信号は制御部１１を介してイコライザ１７に出力される。
【００４７】
車載用音響装置１０は起動時には周波数特性がフラットに設定されており、イコライザ１７には図２（ａ）に示すように各周波数帯域に亘って一定出力の補正なしの周波数特性が設定されている。したがってＣＤから読み出された音声信号の周波数特性はイコライザ１７において補正されることなく、そのままアンプ１８において増幅されてスピーカ１８１から出力されることとなる。
【００４８】
ステップＳ２の処理においては音楽ジャンルの変更が指示されたか否かが判定される。すなわち図２に示すように画面右端に配置されたモードアイコンを押下するなどの操作によって、音楽ジャンルの選択変更があればＹｅｓと判定され、選択変更がなければＮｏとなりステップＳ４の処理に進み、携帯電話２０の着信が検出されない限りステップＳ１の処理に戻り、音楽ジャンルの変更指示があるまでステップＳ２からＳ４の処理が繰り返される。
【００４９】
以下、本発明の車載用音響装置の動作を図３に示すフローチャートに基づいて説明する。図３は車載用音響装置の動作を説明するためのフローチャートである。ステップＳ１において音楽を再生する操作がなされると処理が開始される。このときユーザは操作部１９を介して再生したい所望のオーディオソースを選択する。オーディオソースが選択されると制御部１１はイコライザ１７に出力する信号のオーディオソースを選択されたオーディオソースに切り替える。
【００５０】
例えばユーザがＣＤを聴く場合にはＣＤをディスク再生部１４に装填するとともに再生ユニットをＣＤに選択する。オーディオソースとしてＣＤが選択されると、制御部１１はディスク再生部１４に対して再生指示を行ない、読み出された音声信号は制御部１１を介してイコライザ１７に出力される。
【００５１】
車載用音響装置１０は起動時には周波数特性がフラットに設定されており、イコライザ１７には図２（ａ）に示すように各周波数帯域に亘って一定出力の補正なしの周波数特性が設定されている。したがってＣＤから読み出された音声信号の周波数特性はイコライザ１７において補正されることなく、そのままアンプ１８において増幅されてスピーカ１８１から出力されることとなる。
【００５２】
ステップＳ２の処理においては音楽ジャンルの変更が指示されたか否かが判定される。すなわち図２に示すように画面右端に配置されたモードアイコンを押下するなどの操作によって、音楽ジャンルの選択変更があればＹｅｓと判定され、選択変更がなければＮｏとなりステップＳ４の処理に進み、携帯電話２０の着信が検出されない限りステップＳ１の処理に戻り、音楽ジャンルの変更指示があるまでステップＳ２からＳ４の処理が繰り返される。
【００５３】
ステップＳ２の処理において音楽ジャンルの変更指示があったと判定されると（Ｙ）ステップＳ３の処理に進み、選択された音楽ジャンルの周波数特性が読み出されて設定される。すなわち記憶部１１１に音楽ジャンルごとに対応付けて記憶された周波数特性の中から、ユーザが選択した音楽ジャンルに対応する周波数特性が読み出され、制御部１１はこれをイコライザ１７に設定する。
【００５４】
例えばユーザがモードアイコンのうち「クラシック」アイコンを押下すると、表示部１３には図２（ｂ）に示すような画面が表示されるとともに、イコライザ１７には画面中央に表示されているような周波数帯域ごとの周波数特性が設定される。ジャンル「クラシック」においては、図２（ｂ）からもあきらかなように周波数特性は低高音域の出力が増大され中音域の出力が減少されるため、スピーカ１８１からは低高音域が強調され、中音域は若干弱められた状態で音声が出力される。
【００５５】
周波数特性の設定が終了するとステップＳ４の処理に進み、携帯電話２０に着信があったか否かが判定される。上述したように制御部１１は着信検出部１１２を備えており、車載用音響装置１０側において携帯電話２０の着信があったか否かを検出できるようになっている。着信が検出されなければ（Ｎ）ステップＳ２の処理に戻り、着信が検出されるまでステップＳ２からＳ４の処理が繰り返される。
【００５６】
ステップＳ４の処理において着信が検出されると（Ｙ）ステップＳ５の処理に進み、ジャンル「会話」の周波数特性が読み出されて設定される。すなわち着信検出部１１２が着信を検出すると、制御部１１は記憶部１１１からジャンル「会話」に対応した周波数特性を読み出し、イコライザ１７に設定する。このとき表示部１３には図２（ｅ）に示すような画面が表示されるとともに、イコライザ１７には画面中央に表示されているような周波数帯域ごとの周波数特性が設定される。ここでいう「会話」とは、携帯電話２０を用いた「通話」である。
【００５７】
ジャンル「会話」においては、図２（ｅ）からもあきらかなように周波数特性は中音域の出力が増大され低高音域の出力が大幅に減少されるため、スピーカ１８１からは中音域が強調され、低高音域がかなり弱められた状態で音声が出力される。
【００５８】
なおステップＳ５の処理においてはジャンル「会話」に対応した周波数特性が設定されるが、それと同時に着信時に設定されていた音楽ジャンルが一時的に記憶部１１１に記憶される。
【００５９】
ステップＳ５においてジャンル「会話」が設定されると、通話が終了するまで周波数特性は変更されずに維持される。ステップＳ６の処理においては通話が終了したか否かが判定され、終了していないと判断された場合には（Ｎ）再びステップＳ６の処理に戻り、通話が終了するまで処理が繰り返される。
【００６０】
一方ステップＳ６の処理において通話が終了したことを着信検出部１１２が検出すると（Ｙ）ステップＳ７の処理に進み、記憶部１１１に記憶されていた着信時の音楽ジャンルが読み出されて再設定される。例えば着信時にユーザがジャンル「クラシック」を設定していた場合には、記憶部１１１からジャンル「クラシック」に対応する周波数特性が読み出され、イコライザ１７に設定される。そしてステップＳ８の処理において音楽再生が終了したかが判定され、音楽再生が終了していれば処理を終了し、音楽再生が終了していなければステップＳ２の処理に戻る。
【００６１】
このように構成することにより、ユーザとしては通話が終了した後あらためて音楽ジャンルを「会話」から「クラシック」に変更する操作を行なうことなく、最適な周波数特性によって音楽を聴くことができる。ドライバが運転時に音響装置を操作するのは難しいことから、自動的に着信時の音楽ジャンルを再設定することで利便性が向上する。
【００６２】
なお本実施例においては記憶部１１１に通話用に予め設定した周波数特性を記憶し、ステップＳ５の処理においてこれを設定するように構成したが、これ以外にも着信を検出するとそれまで設定していた周波数特性の設定を無効化つまりフラットの状態にするよう構成しても構わない。
【図面の簡単な説明】
【００６３】
【図１】本発明の車載用音響装置の構成を示すブロック図である。
【図２】図２は周波数特性の設定画面を示す図である。図２（ａ）はフラットモード、図２（ｂ）はクラシックモード、図２（ｃ）はロックモード、図２（ｄ）はジャズモード、図２（ｅ）は会話モードの設定画面をそれぞれ示している。
【図３】車載用音響装置の動作を説明するためのフローチャートである。
【符号の説明】
【００６４】
１０      車載用音響装置
１１      制御部
１１１    記憶部
１１２    着信検出部
１２      チューナ部
１３      表示部
１４      ディスク再生部
１５      無線送受信部
１６      マイク
１７      イコライザ
１８      アンプ
１８１    スピーカ
１９      操作部
２０      携帯電話
２１      無線送受信部
２２      携帯電話部
【図１】
2008207768.tif 000003
【図２】
2008207768.tif 000004
【図３】
2008207768.tif 000005